(57)【特許請求の範囲】
【請求項１】
第１の本体とこの第１の本体に回動可能に支持されている第２の本体とを有している本体と、
画像を表示する画像表示素子と、この画像表示素子により表示された画像を拡大する拡大光学部と、前記第１の本体の表面に設けられており、前記拡大光学部により拡大された画像を外部に導く観察窓とを有している画像表示部と
を備えており、前記第２の本体は、前記第１の本体の表面の一部を覆う閉位置と、第１の本体に対して所定角度を有した開位置との間で回動する携帯電話において、
前記第１の本体に設けられた操作部と、
前記第２の本体に設けられており、前記画像表示素子よりも低い解像度をもつ表示部と、
少なくとも前記画像表示素子により表示される画像を操作するための１以上のポインティングデバイスと
を備えており、ポインティングデバイスの少なくとも１つと画像表示部の観察窓とは、第２の本体が閉位置に位置するときに外部に向くように配置されており、前記画像表示部は、本体に内蔵されているか、又は着脱可能に本体に支持されていることを特徴とする携帯電話。
【請求項２】
前記第１の本体は、前記第２の本体が閉位置に位置するときに第２の本体により覆われる前面と、この前面とは反対側に位置する背面とを有しており、前記ポインティングデバイスは、第１の本体のこの背面に配置されていることを特徴とする請求項１に記載の携帯電話。
【請求項３】
前記第２の本体は、第２の本体が閉位置に位置するときに前記第１の本体と対向する前面と、この前面とは反対側に位置する背面とを有しており、前記ポインティングデバイスは、第２の本体のこの背面に配置されていることを特徴とする請求項１に記載の携帯電話。
【請求項４】
前記第２の本体は、第２の本体が閉位置に位置するときに前記第１の本体と対向する前面と、この前面とは反対側に位置する背面とを有しており、前記ポインティングデバイスは、
少なくとも前記画像表示素子により表示される画像を操作するための主操作部と、
第２の本体の背面に配置されている従操作部と、
この従操作部と前記主操作部とを連結する連結部材と
を有しており、主操作部と従操作部とは連動することを特徴とする請求項１に記載の携帯電話。
【請求項５】
前記第１の本体は、前記第２の本体が閉位置に位置するときに第２の本体により覆われる前面と、この前面とは反対側に位置する背面と、この背面と前記前面との間に渡って延びている側面とを有しており、
前記第２の本体は、第２の本体が閉位置に位置するときに前記第１の本体と対向する前面と、この前面とは反対側に位置する背面と、この背面と前記前面との間に渡って延びている側面とを有しており、
前記ポインティングデバイスは、第１の本体の前記側面又は第２の本体の前記側面に配置されていることを特徴とする請求項１に記載の携帯電話。
【請求項６】
第１の本体とこの第１の本体に回動可能に支持されている第２の本体とを有している本体と、
画像を表示する画像表示素子と、この画像表示素子により表示された画像を拡大する拡大光学部と、前記第１の本体の表面に設けられており、前記拡大光学部により拡大された画像を外部に導く観察窓とを有している画像表示部と
を備えており、前記第２の本体は、前記第１の本体の表面の一部を覆う閉位置と、第１の本体に対して所定角度を有した開位置との間で回動する携帯電話において、
前記第２の本体に設けられた操作部と、
前記第１の本体に設けられており、前記画像表示素子よりも低い解像度をもつ表示部と、
少なくとも前記画像表示素子により表示される画像を操作するための１以上のポインティングデバイスと
を備えており、ポインティングデバイスの少なくとも１つと画像表示部の観察窓とは、第２の本体が閉位置に位置するときに外部に向くように配置されており、前記画像表示部は、本体に内蔵されているか、又は着脱可能に本体に支持されていることを特徴とする携帯電話。
【請求項７】
前記第１の本体は、前記第２の本体が閉位置に位置するときに第２の本体により覆われる前面と、この前面とは反対側に位置する背面とを有しており、前記ポインティングデバイスは、第１の本体のこの背面に配置されていることを特徴とする請求項６に記載の携帯電話。
【請求項８】
前記第２の本体は、第２の本体が閉位置に位置するときに前記第１の本体と対向する前面と、この前面とは反対側に位置する背面とを有しており、前記ポインティングデバイスは、第２の本体のこの背面に配置されていることを特徴とする請求項６に記載の携帯電話。
【請求項９】
前記第１の本体は、前記第２の本体が閉位置に位置するときに第２の本体により覆われる前面と、この前面とは反対側に位置する背面とを有しており、前記ポインティングデバイスは、
少なくとも前記画像表示素子により表示される画像を操作するための主操作部と、
第１の本体の背面に配置されている従操作部と、
この従操作部と前記主操作部とを連結する連結部材と
を有しており、主操作部と従操作部とは連動することを特徴とする請求項６に記載の携帯電話。
【請求項１０】
前記第１の本体は、前記第２の本体が閉位置に位置するときに第２の本体により覆われる前面と、この前面とは反対側に位置する背面と、この背面と前記前面との間に渡って延びている側面とを有しており、
前記第２の本体は、第２の本体が閉位置に位置するときに前記第１の本体と対向する前面と、この前面とは反対側に位置する背面と、この背面と前記前面との間に渡って延びている側面とを有しており、
前記ポインティングデバイスは、第１の本体の前記側面又は第２の本体の前記側面に配置されていることを特徴とする請求項６に記載の携帯電話。
【発明の詳細な説明】
【０００１】
【発明の属する技術分野】
本発明は、拡大光学系を有し、高精細データの表示が可能な表示部が内蔵、又は着脱可能に支持されている携帯電話に関するものである。
【０００２】
【従来の技術】
近年、携帯電話を使用して例えばネット上の情報を閲覧するという需要が増加している。これに伴い携帯電話に搭載される表示素子のカラー化、高精細化が進んでいる。その中で、ＱＶＧＡ、ＶＧＡなど高精細でかつ画面サイズが１インチ程度以下の小型の表示素子を用い、その表示画像を拡大光学系を用いて観察する装置が提案されている。
【０００３】
以下、図１乃至図４を用いて従来の技術を説明する。特開平５−２５９９６４号公報には、図６に示すように、拡大された虚像を提供する小型虚像ディスプレイ６０１を有する携帯型通信用受信機が開示されている。当該発明においては、小型虚像ディスプレイ６０１は本体６０２とは別体である。
【０００４】
また、このように本体とは別体であり、本体に搭載された表示部よりも高精細な画面を提供するような外部表示装置については、２インチ程度の液晶を用いてその表示画面をそのまま観察させる携帯型の電話機が発売されている。
【０００５】
特開平１０−１２３９６９号公報には、図７に示すように、携帯電子装置の付属品として機能し、微小ビジュアル画像ディスプレイ７０１を内蔵した携帯電源が開示されている。これは携帯型の電話機７０２に接続可能であり、電源を有したハウジング７０３に、ディスプレイ７０１を回転自在に取り付けたものである。
【０００６】
特開平２−１００４４８号公報では、図８に示すように、Ｌ字型のボディー８０１に虚像視覚表示手段８０２を含めた携帯型の電話機が開示されている。
【０００７】
特開平１１−３２７４６２には、図９に示すように、虚像を拡大する表示部が折り畳み可能に構成された携帯型の電話機が開示されている。
【０００８】
【発明が解決しようとする課題】
しかしながら、上記の従来の電話機には以下のような問題点がある。一般に、虚像を投影するビューワ付き電話機では表示部をのぞき込むような形で使用されることになる。これはアイポイントを大きく取ろうとすると光学系が大型化し携帯性が悪化するためである。一方、コンテンツを閲覧する際にはブラウザソフトのメニュー操作等を行う必要があり、このために何らかのポインティングデバイスを用いる。従って、使用者は電話機を顔面に近接させた状態で画面を観察するとともにポインティングデバイスを操作することになり、図７、図８及び図９に示したような電話機では操作性が悪い。特に電話機が小型化されると各操作ボタンが近接している場合では操作性はますます悪くなってしまう。
【０００９】
一方、図１に示したような別体式の携帯型通信用受信機においてはポインティングデバイスを本体６０２に設置することにより操作性は比較的確保されるものの、本体６０２と別にディスプレイ６０１を持ち歩くことになり甚だ携帯性が悪い。
【００１０】
また、以上の従来の電話機では、拡大光学系を装置に組み入れるため、高解像度の画像が観察可能になる反面、通常のＬＣＤを使用した場合と比較して特に厚さ方向において装置が厚くなるという不具合が生じる。
【００１１】
さらに、前述のように拡大光学系による画像の観察は前述の理由により電話機を顔面に近接させる必要があるので従来の使い勝手と大きく異なる上、そもそも単にダイヤルを確認したり、本体の機能を選択、設定したりするといった用途に対して高解像表示は必要ない。すなわち高解像度の画面を見たいという要求と、簡便な操作で気軽に使用したいという相反する要求が存在し、これらを同時に満たし、かつ使い勝手の良い電話機が望まれている。
【００１２】
本発明は以上のような不具合に鑑みてなされたもので、高精細データの表示が可能な表示部が内蔵、又は着脱可能に支持されているとともに良好な操作性を確保した携帯電話を提供することを目的とする。
【００１３】
【課題を解決するための手段】
上記目的を達成するために、本発明の請求項１に係わる携帯電話においては、第１の本体とこの第１の本体に回動可能に支持されている第２の本体とを有している本体と、
画像を表示する画像表示素子と、この画像表示素子により表示された画像を拡大する拡大光学部と、前記第１の本体の表面に設けられており、前記拡大光学部により拡大された画像を外部に導く観察窓とを有している画像表示部と
を備えており、前記第２の本体は、前記第１の本体の表面の一部を覆う閉位置と、第１の本体に対して所定角度を有した開位置との間で回動する携帯電話において、
前記第１の本体に設けられた操作部と、
前記第２の本体に設けられており、前記画像表示素子よりも低い解像度をもつ表示部と、
少なくとも前記画像表示素子により表示される画像を操作するための１以上のポインティングデバイスと
を備えており、ポインティングデバイスの少なくとも１つと画像表示部の観察窓とは、第２の本体が閉位置に位置するときに外部に向くように配置されており、前記画像表示部は、本体に内蔵されているか、又は着脱可能に本体に支持されていることを特徴としている。
【００１４】
このように構成されていることにより、第２の本体の位置が開位置か閉位置かにかかわらず、高精細データの表示が可能な表示部が内蔵、又は着脱可能に支持されているとともに良好な操作性を確保した携帯電話を提供することができる。
【００１５】
本発明の請求項２に係わる携帯電話においては、前記第１の本体は、前記第２の本体が閉位置に位置するときに第２の本体により覆われる前面と、この前面とは反対側に位置する背面とを有しており、前記ポインティングデバイスは、第１の本体のこの背面に配置されていることを特徴としている。
【００１６】
本発明の請求項３に係わる携帯電話においては、前記第２の本体は、第２の本体が閉位置に位置するときに前記第１の本体と対向する前面と、この前面とは反対側に位置する背面とを有しており、前記ポインティングデバイスは、第２の本体のこの背面に配置されていることを特徴としている。
【００１７】
本発明の請求項４に係わる携帯電話においては、前記第２の本体は、第２の本体が閉位置に位置するときに前記第１の本体と対向する前面と、この前面とは反対側に位置する背面とを有しており、前記ポインティングデバイスは、
少なくとも前記画像表示素子により表示される画像を操作するための主操作部と、
第２の本体の背面に配置されている従操作部と、
この従操作部と前記主操作部とを連結する連結部材と
を有しており、主操作部と従操作部とは連動することを特徴としている。
【００１８】
本発明の請求項５に係わる携帯電話においては、前記第１の本体は、前記第２の本体が閉位置に位置するときに第２の本体により覆われる前面と、この前面とは反対側に位置する背面と、この背面と前記前面との間に渡って延びている側面とを有しており、
前記第２の本体は、第２の本体が閉位置に位置するときに前記第１の本体と対向する前面と、この前面とは反対側に位置する背面と、この背面と前記前面との間に渡って延びている側面とを有しており、
前記ポインティングデバイスは、第１の本体の前記側面又は第２の本体の前記側面に配置されていることを特徴としている。
【００１９】
本発明の請求項６に係わる携帯電話においては、第１の本体とこの第１の本体に回動可能に支持されている第２の本体とを有している本体と、
画像を表示する画像表示素子と、この画像表示素子により表示された画像を拡大する拡大光学部と、前記第１の本体の表面に設けられており、前記拡大光学部により拡大された画像を外部に導く観察窓とを有している画像表示部と
を備えており、前記第２の本体は、前記第１の本体の表面の一部を覆う閉位置と、第１の本体に対して所定角度を有した開位置との間で回動する携帯電話において、
前記第２の本体に設けられた操作部と、
前記第１の本体に設けられており、前記画像表示素子よりも低い解像度をもつ表示部と、
少なくとも前記画像表示素子により表示される画像を操作するための１以上のポインティングデバイスと
を備えており、ポインティングデバイスの少なくとも１つと画像表示部の観察窓とは、第２の本体が閉位置に位置するときに外部に向くように配置されており、前記画像表示部は、本体に内蔵されているか、又は着脱可能に本体に支持されていることを特徴としている。
【００２０】
このように構成されていることにより、第２の本体の位置が開位置か閉位置かにかかわらず、高精細データの表示が可能な表示部が内蔵、又は着脱可能に支持されているとともに良好な操作性を確保した携帯電話を提供することができる。
【００２１】
本発明の請求項７に係わる携帯電話においては、前記第１の本体は、前記第２の本体が閉位置に位置するときに第２の本体により覆われる前面と、この前面とは反対側に位置する背面とを有しており、前記ポインティングデバイスは、第１の本体のこの背面に配置されていることを特徴としている。
【００２２】
本発明の請求項８に係わる携帯電話においては、前記第２の本体は、第２の本体が閉位置に位置するときに前記第１の本体と対向する前面と、この前面とは反対側に位置する背面とを有しており、前記ポインティングデバイスは、第２の本体のこの背面に配置されていることを特徴としている。
【００２３】
本発明の請求項９に係わる携帯電話においては、前記第１の本体は、前記第２の本体が閉位置に位置するときに第２の本体により覆われる前面と、この前面とは反対側に位置する背面とを有しており、前記ポインティングデバイスは、
少なくとも前記画像表示素子により表示される画像を操作するための主操作部と、
第１の本体の背面に配置されている従操作部と、
この従操作部と前記主操作部とを連結する連結部材と
を有しており、主操作部と従操作部とは連動することを特徴としている。
【００２４】
本発明の請求項１０に係わる携帯電話においては、前記第１の本体は、前記第２の本体が閉位置に位置するときに第２の本体により覆われる前面と、この前面とは反対側に位置する背面と、この背面と前記前面との間に渡って延びている側面とを有しており、
前記第２の本体は、第２の本体が閉位置に位置するときに前記第１の本体と対向する前面と、この前面とは反対側に位置する背面と、この背面と前記前面との間に渡って延びている側面とを有しており、
前記ポインティングデバイスは、第１の本体の前記側面又は第２の本体の前記側面に配置されていることを特徴としている。
【００２５】
【発明の実施の形態】
図１乃至図５を参照し、本発明の実施の形態に係わる携帯電話を説明する。先ず、図１を参照して本発明の第１の実施の形態の携帯電話を説明する。図１の（Ａ）及び（Ｂ）は携帯電話の斜視図である。
【００２６】
携帯電話は第１の本体１とこの第１の本体１に回動可能に支持されている第２の本体２とを備えている。第１の本体１と第２の本体２とは回動部３を介して接続されている。第２の本体２は第１の本体１の前面１ａを覆う閉位置（図１の（Ｂ））と、第１の本体に対して所定角度を有した開位置（図１の（Ａ））との間で回動する。
【００２７】
図１の（Ｃ）は図１の（Ａ）の１Ｃ−１Ｃ線で切断した第１の本体１の断面図である。第１の本体１には、電子回路が形成された基板４と、画像を投影するための画像表示部５とが内蔵されている。画像表示部５は、画像を表示する画像表示素子として用いられているＬＣＤ６と、ＬＣＤ６に設けられているバックライト８と、ＬＣＤ６により表示された画像を拡大する拡大光学系を有する拡大光学部１０と、第１の本体１の前面１ａに設けられており、拡大光学部１０により拡大された画像を外部に導く観察窓１２とを有している。ＬＣＤ６により表示された画像を含んだ光は、図１の（Ｃ）の点線に沿って拡大光学部１０内を伝搬し、観察窓１２から外部に導かれる。ＬＣＤ６とバックライト８とは適切な導線４ａを介して基板４に接続されている。画像表示部５はＱＶＧＡ、ＶＧＡ等の高精細な画像の虚像を拡大して使用者の眼に投影することができる。
【００２８】
前面１ａにおいて、画像表示部５が内蔵されている部分には、前面１ａから突出した観察突起部１４が形成されている。これにより、例えば基板４等の他の部材よりも比較的厚い拡大光学部１０が観察突起部１４に覆われて、第１の本体１に内蔵される。観察窓１２は観察突起部１４に取り付けられており、外部を向いている。
【００２９】
第２の本体は、上記閉位置のときに第１の本体と対向する前面２ａと、前面２ａとは反対側に位置する背面２ｂとを有している。閉位置のときに、第２の本体２において、第１の本体１の観察突起部１４と対向する部分には、前面２ａから背面２ｂに第２の本体２を貫く開口１６が形成されている。これにより、第２の本体２の位置が開位置か閉位置かにかかわらず、観察窓１２は外部に向いており、使用者は両位置において観察窓１２を観察することができる。また、閉位置のときに観察突起部１４が開口１６に収納されることにより、携帯電話を折り畳んで携帯する際に突出した部分が形成されないので、比較的薄型の携帯電話が得られる。
【００３０】
第２の本体２の前面２ａにはＬＣＤ６よりも比較的低い解像度をもつ表示部１８が設けられている。表示部１８は従来の携帯電話に設けられた、拡大光学系を用いない液晶ディスプレイと同程度の解像度の表示領域を有している。
【００３１】
第１の本体１の前面１ａには、操作部２０が配設されている。操作部２０は複数の押しボタンを有しており、通常の発信操作や携帯電話の機能設定のために使用される。
【００３２】
前面１ａと背面２ｂとには夫々主操作部２２と従操作部２４とが配設されている。主操作部２２は十字ボタンを有しており、少なくともＬＣＤ６により表示される画像を操作するのに使用される。主操作部２２はブラウザのメニュー指示等のために用いられる。従操作部２４は閉位置のときに主操作部２２に対向する部分に配設されており、十字ボタンで構成されている。
【００３３】
第２の本体２において、閉位置のときに主操作部２２と従操作部２４との間に位置する部分には、４つのピンで構成され、従操作部２４から前面２ａに延びている連結部材２６が配設されている。閉位置のときには、連結部材２６は主操作部２２と従操作部２４とを連結し、これにより、主操作部２２と従操作部２４とを連動させる。主操作部２２と従操作部２４と連結部材２６とはポインティングデバイスを構成する。
【００３４】
第１の本体１において、前面１ａとは反対側の背面１ｂには電池２８が取り付けられている。携帯電話はアンテナ３０を有している。
【００３５】
以上詳述した如く構成されている携帯電話の第１の実施の形態においては、使用者が携帯電話を単なる通信機器として使用したい場合は、ＬＣＤ６で操作を確認しながら従来の携帯電話と同様に使用することにより目的を達成できる。一方インターネットなどの高精細表示が必要になる場合には、閉位置にして携帯電話を折り畳み、背面２ｂから観察可能な観察窓１２をのぞき込むことにより所望の画像を観察できる。このときメニュー操作はポインティングデバイスの従操作部２４により行うが、従操作部２４の周辺には別の不要なボタン類が存在しないので、いちいち手元を確認しなくても確実な操作が可能となる。さらに観察窓１２から十分に離れた位置に従操作部２４を配置することにより操作性を向上させても良い。
【００３６】
本実施の形態では、ポインティングデバイスは連結部材２６により連結される主操作部２２と従操作部２４とを有しているが、本発明はこれに限定されるものではない。例えば、連結部材２６を用いず、従操作部２４を電子的に主操作部２２に連動させても良い。この場合、操作部２２，２４は個別のポインティングデバイスとして機能する。また、主操作部２２と従操作部２４とは十字ボタン状の部材に限定されるものではなく、他の部材を有していても良い。
【００３７】
また、本実施の形態では、画像表示部５は第１の本体１に内蔵されているが、画像表示部５は着脱可能に第１の本体１に支持されていても良い。
【００３８】
次に、図２を参照して本発明の第２の実施の形態の携帯電話を説明する。本実施の形態の構成の大部分は、基本的に第１の実施の形態の構成の大部分と同じである。尚、本実施の形態において、第１の実施の形態の図１の（Ａ）、（Ｂ）及び（Ｃ）を参照して説明した構成部材と実質的に同一の構成部材は、第１の実施の形態の対応する構成部材を指示していた参照符号と同じ参照符号を付して詳細な説明を省略する。
【００３９】
本実施の形態の構成が第１の実施の形態の構成と異なる点は、拡大光学部を覆う観察突起部の構成である。図２の（Ａ）は開位置のときの携帯電話の斜視図、（Ｂ）は閉位置のときの携帯電話の斜視図である。第１の実施の形態の観察突起部１４は、上述したように、閉位置のときに第２の本体２の前面２ａに対向する位置に形成されており、開口１６に収納される。
【００４０】
これに対して、本実施の形態の観察突起部２１４は、前面１ａにおいて、回動部３とは反対側に位置し、閉位置のときに第２の本体２により覆われない部分に形成されている。観察突起部２１４には観察窓１２が取り付けられており、外部を向いている。
【００４１】
このように構成しても第１の実施の形態と同様に、第２の本体２の位置が開位置か閉位置かにかかわらず、使用者は両位置において観察窓１２を観察することができる。
【００４２】
次に、図３を参照して本発明の第３の実施の形態の携帯電話を説明する。本実施の形態の構成の大部分は、基本的に第１の実施の形態の構成の大部分と同じである。尚、本実施の形態において、第１の実施の形態の図１の（Ａ）、（Ｂ）及び（Ｃ）を参照して説明した構成部材と実質的に同一の構成部材は、第１の実施の形態の対応する構成部材を指示していた参照符号と同じ参照符号を付して詳細な説明を省略する。
【００４３】
本実施の形態の構成が第１の実施の形態の構成と異なる点は、ポインティングデバイスの従操作部の構成である。図３の（Ａ）は開位置のときの携帯電話の斜視図、（Ｂ）は閉位置のときの携帯電話の斜視図、そして（Ｃ）は（Ａ）の３Ｃ−３Ｃ線で切断した第１の本体１の断面図である。第１の実施の形態では、従操作部２４は連結部材２６により主操作部２２と連結され、主操作部２２と連動する。従操作部２４は第２の本体２の背面２ｂに配設されている。
【００４４】
これに対して、本実施の形態では、連結部材は用いられておらず、第１の実施の形態の操作部２２，２４の代わりに、個別の２つのポインティングデバイス３２２，３２４が夫々配設されている。ポインティングデバイス３２２，３２４は互いに電子的に連動する。ポインティングデバイス３２４は第１の本体１の背面１ｂに配設されている。
【００４５】
このように構成しても第１の実施の形態と同様に、観察窓１２をのぞき込みながら、手元を確認しなくても確実な操作が可能となる。
【００４６】
次に、図４を参照して本発明の第４の実施の形態の携帯電話を説明する。本実施の形態の構成の大部分は、基本的に第３の実施の形態の構成の大部分と同じである。尚、本実施の形態において、第３の実施の形態の図３の（Ａ）、（Ｂ）及び（Ｃ）を参照して説明した構成部材と実質的に同一の構成部材は、第３の実施の形態の対応する構成部材を指示していた参照符号と同じ参照符号を付して詳細な説明を省略する。
【００４７】
本実施の形態の構成が第３の実施の形態の構成と異なる点は、ポインティングデバイスの構成である。図４の（Ａ）は開位置のときの携帯電話の斜視図、（Ｂ）は閉位置のときの携帯電話の斜視図である。第３の実施の形態では、ポインティングデバイス３２４は第１の本体１の背面１ｂに配設されており、十字ボタンで構成されている。
【００４８】
これに対して、本実施の形態では、第３の実施の形態のポインティングデバイス３２４の代わりに、ピン状のポインティングデバイス４２４が第１の本体１において、前面１ａと背面１ｂとの間に渡って延びている側面１ｃに配設されている。ポインティングデバイス４２４は２方向に回動可能である。
【００４９】
このように構成しても第３の実施の形態と同様に、観察窓１２をのぞき込みながら、確実な操作が可能となる。
【００５０】
本実施の形態で、ポインティングデバイス４２４は側面１ｃに配設されているが、第２の本体２において、前面２ａと背面２ｂとの間に渡って延びている側面２ｃに配設されていても良い。
【００５１】
また、ポインティングデバイス４２４はピン状の部材に限定されるものではなく、他の部材で構成されていても良い。
【００５２】
次に、図５を参照して本発明の第５の実施の形態の携帯電話を説明する。本実施の形態の構成の大部分は、基本的に第１の実施の形態の構成の大部分と同じである。尚、本実施の形態において、第１の実施の形態の図１の（Ａ）、（Ｂ）及び（Ｃ）を参照して説明した構成部材と実質的に同一の構成部材は、第１の実施の形態の対応する構成部材を指示していた参照符号と同じ参照符号を付して詳細な説明を省略する。
【００５３】
本実施の形態の構成が第１の実施の形態の構成と異なる点は、夫々の構成部材の配置である。本実施の形態では、第１の本体１に、画像表示部５と観察窓１２と観察突起部１４と表示部１８と背面１ｂに配設された従操作部２４（図示せず）と連結部材２６とが設けられており、第２の本体２に、開口１６と操作部２０と主操作部２２とが設けられている。
【００５４】
このように構成しても第１の実施の形態と同様に、観察窓１２をのぞき込みながら、手元を確認しなくても確実な操作が可能となる。
【００５５】
本実施の形態では、ポインティングデバイスは主操作部２２と背面１ｂに配設された従操作部２４と連結部材２６とを有しているが、ポインティングデバイスの構成はこれに限定されるものではない。例えば、個別の２つのポインティングデバイスが用いられており、一方のポインティングデバイスが第２の本体２の前面２ａに配設され、他方のポインティングデバイスが第２の本体２の背面２ｂに配設されていても良い。また、一方のポインティングデバイスが第２の本体２の前面２ａに配設され、他方のポインティングデバイスが、第１の本体１の側面１ｃ又は第２の本体２の側面２ｃに配設されていても良い。
【００５６】
本発明は、以下の各項に示す発明を開示している。
第１項．第１の本体とこの第１の本体に回動可能に支持されている第２の本体とを有している本体と、
画像を表示する画像表示素子と、この画像表示素子により表示された画像を拡大する拡大光学部と、前記第１の本体の表面に設けられており、前記拡大光学部により拡大された画像を外部に導く観察窓とを有している画像表示部と
を備えており、前記第２の本体は、前記第１の本体の表面の一部を覆う閉位置と、第１の本体に対して所定角度を有した開位置との間で回動する携帯電話において、
前記第１の本体に設けられた操作部と、
前記第２の本体に設けられており、前記画像表示素子よりも低い解像度をもつ表示部と、
少なくとも前記画像表示素子により表示される画像を操作するための１以上のポインティングデバイスと
を備えており、ポインティングデバイスの少なくとも１つと画像表示部の観察窓とは、第２の本体が閉位置に位置するときに外部に向くように配置されており、前記画像表示部は、本体に内蔵されているか、又は着脱可能に本体に支持されていることを特徴とする携帯電話。
第２項．前記第１の本体は、前記第２の本体が閉位置に位置するときに第２の本体により覆われる前面と、この前面とは反対側に位置する背面とを有しており、前記ポインティングデバイスは、第１の本体のこの背面に配置されていることを特徴とする第１項に記載の携帯電話。
第３項．前記第２の本体は、第２の本体が閉位置に位置するときに前記第１の本体と対向する前面と、この前面とは反対側に位置する背面とを有しており、前記ポインティングデバイスは、第２の本体のこの背面に配置されていることを特徴とする第１項に記載の携帯電話。
第４項．前記第２の本体は、第２の本体が閉位置に位置するときに前記第１の本体と対向する前面と、この前面とは反対側に位置する背面とを有しており、前記ポインティングデバイスは、
少なくとも前記画像表示素子により表示される画像を操作するための主操作部と、
第２の本体の背面に配置されている従操作部と、
この従操作部と前記主操作部とを連結する連結部材と
を有しており、主操作部と従操作部とは連動することを特徴とする第１項に記載の携帯電話。
第５項．前記第１の本体は、前記第２の本体が閉位置に位置するときに第２の本体により覆われる前面と、この前面とは反対側に位置する背面と、この背面と前記前面との間に渡って延びている側面とを有しており、
前記第２の本体は、第２の本体が閉位置に位置するときに前記第１の本体と対向する前面と、この前面とは反対側に位置する背面と、この背面と前記前面との間に渡って延びている側面とを有しており、
前記ポインティングデバイスは、第１の本体の前記側面又は第２の本体の前記側面に配置されていることを特徴とする第１項に記載の携帯電話。
第６項．前記第１の本体は、前記第２の本体が閉位置に位置するときに第２の本体により覆われる前面を有しており、
前記第２の本体は、第２の本体が閉位置に位置するときに前記第１の本体と対向する前面と、この前面とは反対側に位置する背面とを有しており、
前記観察窓は第１の本体の前面に設けられており、第２の本体が閉位置に位置するときに、第２の本体２において、観察窓と対向する部分には、前面から背面に第２の本体を貫く開口が設けられており、第２の本体が閉位置に位置するときに、観察窓はこの開口から外部に向くことを特徴とする第１項乃至第５項のいずれか１項に記載の携帯電話。
第７項．第１の本体とこの第１の本体に回動可能に支持されている第２の本体とを有している本体と、
画像を表示する画像表示素子と、この画像表示素子により表示された画像を拡大する拡大光学部と、前記第１の本体の表面に設けられており、前記拡大光学部により拡大された画像を外部に導く観察窓とを有している画像表示部と
を備えており、前記第２の本体は、前記第１の本体の表面の一部を覆う閉位置と、第１の本体に対して所定角度を有した開位置との間で回動する携帯電話において、
前記第２の本体に設けられた操作部と、
前記第１の本体に設けられており、前記画像表示素子よりも低い解像度をもつ表示部と、
少なくとも前記画像表示素子により表示される画像を操作するための１以上のポインティングデバイスと
を備えており、ポインティングデバイスの少なくとも１つと画像表示部の観察窓とは、第２の本体が閉位置に位置するときに外部に向くように配置されており、前記画像表示部は、本体に内蔵されているか、又は着脱可能に本体に支持されていることを特徴とする携帯電話。
第８項．前記第１の本体は、前記第２の本体が閉位置に位置するときに第２の本体により覆われる前面と、この前面とは反対側に位置する背面とを有しており、前記ポインティングデバイスは、第１の本体のこの背面に配置されていることを特徴とする第７項に記載の携帯電話。
第９項．前記第２の本体は、第２の本体が閉位置に位置するときに前記第１の本体と対向する前面と、この前面とは反対側に位置する背面とを有しており、前記ポインティングデバイスは、第２の本体のこの背面に配置されていることを特徴とする第７項に記載の携帯電話。
第１０項．前記第１の本体は、前記第２の本体が閉位置に位置するときに第２の本体により覆われる前面と、この前面とは反対側に位置する背面とを有しており、前記ポインティングデバイスは、
少なくとも前記画像表示素子により表示される画像を操作するための主操作部と、
第１の本体の背面に配置されている従操作部と、
この従操作部と前記主操作部とを連結する連結部材と
を有しており、主操作部と従操作部とは連動することを特徴とする第７項に記載の携帯電話。
第１１項．前記第１の本体は、前記第２の本体が閉位置に位置するときに第２の本体により覆われる前面と、この前面とは反対側に位置する背面と、この背面と前記前面との間に渡って延びている側面とを有しており、
前記第２の本体は、第２の本体が閉位置に位置するときに前記第１の本体と対向する前面と、この前面とは反対側に位置する背面と、この背面と前記前面との間に渡って延びている側面とを有しており、
前記ポインティングデバイスは、第１の本体の前記側面又は第２の本体の前記側面に配置されていることを特徴とする第７項に記載の携帯電話。
第１２項．前記第１の本体は、前記第２の本体が閉位置に位置するときに第２の本体により覆われる前面を有しており、
前記第２の本体は、第２の本体が閉位置に位置するときに前記第１の本体と対向する前面と、この前面とは反対側に位置する背面とを有しており、
前記観察窓は第１の本体の前面に設けられており、第２の本体が閉位置に位置するときに、第２の本体２において、観察窓と対向する部分には、前面から背面に第２の本体を貫く開口が設けられており、第２の本体が閉位置に位置するときに、観察窓はこの開口から外部に向くことを特徴とする第７項乃至第１１項のいずれか１項に記載の携帯電話。
尚、本発明は上述した実施の形態に限定されるものではなく、発明の趣旨を逸脱しない範囲内において種々の変形や応用が可能であることは勿論である。
【００５７】
【発明の効果】
以上のような構成によれば、高精細な画像が観察可能で、特に操作性が良く、携帯時に凹凸がない比較的薄型の携帯電話が得られる。
【図面の簡単な説明】
【図１】（Ａ）は本発明の第１の実施の形態における携帯電話の開位置のときの斜視図、（Ｂ）は（Ａ）の携帯電話の閉位置のときの斜視図、そして（Ｃ）は（Ａ）の１Ｃ−１Ｃ線で切断して示した断面図。
【図２】（Ａ）は本発明の第２の実施の形態における携帯電話の開位置のときの斜視図、（Ｂ）は（Ａ）の携帯電話の閉位置のときの斜視図。
【図３】（Ａ）は本発明の第３の実施の形態における携帯電話の開位置のときの斜視図、（Ｂ）は（Ａ）の携帯電話の閉位置のときの斜視図、そして（Ｃ）は（Ａ）の３Ｃ−３Ｃ線で切断して示した断面図。
【図４】（Ａ）は本発明の第４の実施の形態における携帯電話の開位置のときの斜視図、（Ｂ）は（Ａ）の携帯電話の閉位置のときの斜視図。
【図５】本発明の第５の実施の形態における携帯電話の開位置のときの斜視図。
【図６】従来の携帯型通信用受信機の斜視図。
【図７】携帯型の電話機が接続できる従来の携帯電源の斜視図。
【図８】従来の携帯型の電話機を使用者の頭部に装着した状態を示す斜視図。
【図９】別の従来の携帯型の電話機の斜視図。
【符号の説明】
１  第１の本体
２  第２の本体
５  画像表示部
６  ＬＣＤ
１０  拡大光学部
１２  観察窓
１８  表示部
２０  操作部
２２  主操作部
２４  従操作部
２６  連結部材
３２２  ポインティングデバイス
３２４  ポインティングデバイス
４２４  ポインティングデバイス
【図１】
0004414604.tif 000002
【図２】
0004414604.tif 000003
【図３】
0004414604.tif 000004
【図４】
0004414604.tif 000005
【図５】
0004414604.tif 000006
【図６】
0004414604.tif 000007
【図７】
0004414604.tif 000008
【図８】
0004414604.tif 000009
【図９】
0004414604.tif 000010